(57)【特許請求の範囲】
【請求項１】
負荷を駆動するリフトシリンダと、
開放状態の液体タンクと、
駆動手段により駆動されるとともに前記液体タンクの液体を加圧して前記リフトシリンダのボトム室に供給する液圧ポンプと、
前記ボトム室に供給された液体を前記液体タンクに戻すための戻り管路と、
前記戻り管路の途中に設けられたポンプモータと、
前記ポンプモータにより駆動される発電機と、
前記ボトム室と前記液圧ポンプとの間に介装され、前記液圧ポンプと前記ボトム室とを連通させる状態と、前記ボトム室と前記戻り管路とを連通させる状態とに切り換え可能な切り換え弁と、
前記戻り管路の前記ポンプモータより上流側に設けられた気体取り入れ手段と
を備えたことを特徴とする液圧回路。
【請求項２】
前記気体取り入れ手段は、前記戻り管路の前記切り換え弁と前記ポンプモータとの間が負圧になったときに前記戻り管路内と前記戻り管路外との圧力差により開かれて前記戻り管路外から前記戻り管路内に気体を導入する弁である請求項１に記載の液圧回路。
【請求項３】
前記気体取り入れ手段は、電磁弁である請求項１に記載の液圧回路。
【請求項４】
前記ポンプモータ及び前記発電機の回転系にフライホイールが設けられている請求項１〜請求項３のいずれか一項に記載の液圧回路。
【請求項５】
前記液圧回路はフォークリフトの荷役用の油圧回路である請求項１〜請求項４のいずれか一項に記載の液圧回路。
【発明の詳細な説明】
【技術分野】
【０００１】
本発明は、液圧回路に係り、詳しくは回生機能を備えた液圧回路に関する。
【背景技術】
【０００２】
フォークリフト、建機等のバッテリを電源としたバッテリ式産業車両においては、重力に抗して負荷を持ち上げるのに油圧が用いられるが、負荷の下降時に戻り油により駆動される油圧ポンプを使用して発電機を駆動し、バッテリの回生を行わせるものがある。（例えば、特許文献１等参照。）。負荷の下降時に流路切り換え弁を、作動油（圧油）をタンクに戻す位置、即ち油圧ポンプを使用して発電機を駆動している状態から、流路切り換え弁を急に遮断位置、即ち作動油が油圧ポンプを通過せずにタンクに戻す位置に切り換えられると、油圧ポンプの羽根（ギヤ）に衝撃荷重が加わり、耐久性が低下したり損傷したりする虞がある。特許文献１の液圧装置では、図６に示すように、リフトシリンダ６１の戻り油が油圧ポンプ６２を通過しない位置に切り換えられた状態において、圧油タンク６３の作動油をチェック弁６４が設けられた管路６５を介して油圧ポンプ６２に循環可能に構成されている。したがって、流路切り換え弁を急に遮断位置に移動させた状態において、油圧ポンプ６２が慣性で回転を続けようとする力で、管路６５を介して圧油タンク６３から作動油が油圧ポンプ６２に供給されるため、油圧ポンプ６２の羽根に過大な衝撃荷重が加わることが抑制される。
【特許文献１】特開２００６−１１７４０６号公報
【発明の開示】
【発明が解決しようとする課題】
【０００３】
ところが、特許文献１のように、リフトシリンダ６１の戻り油が油圧ポンプ６２を通過しない位置に切り換えられた状態において、圧油タンク６３の作動油をチェック弁６４が設けられた管路６５を介して油圧ポンプ６２に循環する構成では、粘性の大きな作動油内で油圧ポンプ６２の駆動部が回転するため、周囲の作動油にエネルギーが吸収される。その結果、作動油のエネルギーを発電機の回転エネルギーに変換するのにロスが生じるとともに、油圧ポンプ６２が慣性で回転を継続する時間が短い。
【０００４】
本発明は、前記従来の問題に鑑みてなされたものであって、その目的は、負荷の下降時にタンクに戻される加圧された液体が、ポンプモータに供給されない状態に切り換え弁が操作された後も、ポンプモータが慣性で回転を継続する時間を従来技術に比べて延長でき、発電機の小型化を図ることができる液圧回路を提供することにある。
【課題を解決するための手段】
【０００５】
前記の目的を達成するため請求項１に記載の発明は、負荷を駆動するリフトシリンダと、開放状態の液体タンクと、駆動手段により駆動されるとともに前記液体タンクの液体を加圧して前記リフトシリンダのボトム室に供給する液圧ポンプと、前記ボトム室に供給された液体を前記液体タンクに戻すための戻り管路と、前記戻り管路の途中に設けられたポンプモータと、前記ポンプモータにより駆動される発電機とを備えている。また、前記ボトム室と前記液圧ポンプとの間に介装され、前記液圧ポンプと前記ボトム室とを連通させる状態と、前記ボトム室と前記戻り管路とを連通させる状態とに切り換え可能な切り換え弁と、前記戻り管路の前記ポンプモータより上流側に設けられた気体取り入れ手段とを備えている。ここで、「液圧」とは、一般の油圧回路における油圧を含み、油圧回路で使用される作動油の代わりに油以外の非圧縮性流体である水や他の液体を使用した場合に回路内に発生する圧力を意味する。「リフトシリンダ」とは、ピストンロッドが上下方向（鉛直方向）に延びるように配置されたものとは限らず、上下方向の移動成分があるように配置されたものも含む。また、「ポンプモータ」とは、流路を流れる液体のエネルギーを回転軸の回転力に変換する機構を意味する。
【０００６】
この発明では、液圧ポンプにより加圧されてリフトシリンダのボトム室に供給された液体は、負荷の下降移動時に戻り管路から開放状態の液体タンクに戻される。そして、戻り管路を流れる加圧された液体のエネルギーによりポンプモータが回転されるとともにその回転力により発電機が駆動されて発電が行われる。切り換え弁が操作されてボトム室が戻り管路と非連通の状態になると、ボトム室から戻り管路へ加圧された液体が供給されなくなっても、ポンプモータは慣性により回転を継続する。また、気体取り入れ手段から気体が戻り管路に供給されるため、ポンプモータが慣性で回転を継続するのを抑制するように作用する流体の粘性が小さくなり、慣性で回転を継続するポンプモータの回転部の回転エネルギーが周囲の気体の運動エネルギーに変換されてロスする割合が少なくなる。その結果、ポンプモータが慣性で回転を継続する時間を従来技術に比べて延長でき、発電機の小型化を図ることができる。
【０００７】
請求項２に記載の発明は、請求項１に記載の発明において、前記気体取り入れ手段は、前記戻り管路の前記切り換え弁と前記ポンプモータとの間が負圧になったときに前記戻り管路内と前記戻り管路外との圧力差により開かれて前記戻り管路外から前記戻り管路内に気体を導入する弁である。ここで、「戻り管路内と戻り管路外との圧力差により開かれて管路外から気体を導入する弁」とは、逆止め弁やリリーフ弁のように、所定圧力以上の差があると弁が開かれる構成の弁を意味する。この発明では、切り換え弁が操作されて、ボトム室が戻り管路と非連通の状態になり、その状態でポンプモータが慣性により回転を継続して、戻り管路内が負圧になると、自動的に気体取り入れ手段から気体が戻り管路に供給される状態になる。したがって、例えば、電磁弁を設けて戻り管路に気体を取り入れる構成とするのに比較して構成が簡単になる。
【０００８】
請求項３に記載の発明は、請求項１に記載の発明において、前記気体取り入れ手段は、電磁弁である。この発明では、切り換え弁が操作されて、ボトム室が戻り管路と非連通の状態になると、電磁弁が開かれて管路外から気体を導入することができる。電磁弁の場合、その開閉時期は基本的には電磁弁を制御する制御手段により決められるため、逆止め弁やリリーフ弁に比較して開閉時期の自由度が高くなる。
【０００９】
請求項４に記載の発明は、請求項１〜請求項３のいずれか一項に記載の発明において、前記ポンプモータ及び前記発電機の回転系にフライホイールが設けられている。この発明では、ボトム室から戻り管路へ加圧された液体が供給されなくなった状態でポンプモータが慣性により回転を継続する際にフライホイールの慣性も加わるため、フライホイールを備えていない構成に比較して、ポンプモータが慣性で回転を継続する時間を長くすることができる。
【００１０】
請求項５に記載の発明は、請求項１〜請求項４のいずれか一項に記載の発明において、前記液圧回路はフォークリフトの荷役用の油圧回路である。フォークリフトにおいては、荷物の上昇及び下降をリフトシリンダで行うため、請求項１〜請求項４のいずれか一項に記載の発明において位置エネルギーを有効に利用することができる。
【発明の効果】
【００１１】
本発明によれば、負荷の下降時にタンクに戻される加圧された液体が、ポンプモータに供給されない状態に切り換え弁が操作された後も、ポンプモータが慣性で回転を継続する時間を従来技術に比べて延長でき、発電機の小型化を図ることができる液圧回路を提供することができる。
【発明を実施するための最良の形態】
【００１２】
（第１の実施形態）
以下、本発明をバッテリ式フォークリフトに具体化した第１の実施形態を図１〜図３にしたがって説明する。
【００１３】
図１に示すように、荷役部材としてのフォーク１１を昇降させるリフトシリンダ１２は、管路１３を介して切り換え弁としてのリフト用制御弁１４に接続されている。リフト用制御弁１４には直動式のスプール弁が使用されている。リフト用制御弁１４には手動操作の三位置切り換え弁が使用され、フォーク１１の昇降及び停止を指示するリフトレバー１５の上昇、中立及び下降操作位置に対応してａ，ｂ，ｃの３つの状態に切り換え可能となっている。
【００１４】
リフトシリンダ１２のボトム室１２ａに液体タンクとしての作動油タンク１６内の作動油を供給する液圧ポンプとしての油圧ポンプ１７は、バッテリ（二次電池）Ｅを電源とする駆動手段としてのモータ１８により駆動される。作動油タンク１６は、大気に開放されて、大気圧と同じ圧力になっている。
【００１５】
油圧ポンプ１７は作動油供給用管路１９を介してリフト用制御弁１４のポートＰに接続されている。リフト用制御弁１４はポートＴにおいて戻り管路２０に、ポートＡにおいて管路１３にそれぞれ接続されている。管路１３はリフトシリンダ１２のボトム室１２ａに接続されている。戻り管路２０は、リフト用制御弁１４の下降操作時にリフトシリンダ１２のボトム室１２ａ内の圧油（加圧された作動油）を作動油タンク１６に還流する役割を果たす。
【００１６】
リフト用制御弁１４はリフトレバー１５の上昇操作に基づいてａ位置に配置され、ａ位置において作動油供給用管路１９と管路１３とを連通させてリフトシリンダ１２を伸長させる。リフト用制御弁１４はリフトレバー１５の下降操作に基づいてｃ位置に配置され、ｃ位置において管路１３と戻り管路２０とを連通させてリフトシリンダ１２を収縮させる。また、リフト用制御弁１４はリフトレバー１５の中立操作に基づいてｂ位置に配置され、管路１３と作動油供給用管路１９及び戻り管路２０との連通を遮断し、リフトシリンダ１２内の作動油の移動を防止して、これを伸縮させることなく保持するようになっている。即ち、リフト用制御弁１４は、リフトシリンダ１２と油圧ポンプ１７との間に介装され、位置切り換えによりリフトシリンダ１２を伸縮させる。
【００１７】
戻り管路２０の途中にはポンプモータとしての油圧モータ２１が配設され、油圧モータ２１には発電機２２が連結されている。発電機２２は油圧モータ２１により駆動されて、蓄電手段としてのバッテリＥの電力回生を行うようになっている。発電機２２の端子は制御装置２３を介してバッテリＥに接続されている。バッテリＥには、例えば、鉛蓄電池が使用されている。
【００１８】
制御装置２３は、発電機２２で発電された交流を直流に変換し、かつバッテリＥに充電可能な電圧に調整する機能を有する。
戻り管路２０の油圧モータ２１より上流側には気体取り入れ手段としての逆止め弁２４が設けられている。逆止め弁２４は、戻り管路２０のリフト用制御弁１４と油圧モータ２１との間が負圧（大気圧より低い圧力）になったときに、戻り管路２０内と戻り管路２０外との圧力差により開かれて戻り管路２０外から気体（空気）を戻り管路２０内に導入するようになっている。
【００１９】
次に前記のように構成された装置の作用を説明する。
リフトレバー１５を上昇操作すると、リフト用スプールがａ位置に配置され、油圧ポンプ１７から吐出される作動油が作動油供給用管路１９、管路１３を介してリフトシリンダ１２のボトム室１２ａに供給され、リフトシリンダ１２が伸長してフォーク１１が上昇する。リフトレバー１５を下降操作すると、リフト用スプールがｃ位置に配置され、管路１３が戻り管路２０に連通されてボトム室１２ａの作動油が作動油タンク１６へと戻される。そして、リフトシリンダ１２が収縮してフォーク１１が下降する。リフトレバー１５の中立操作に基づいてリフト用スプールがｂ位置に配置され、管路１３は作動油供給用管路１９及び戻り管路２０のいずれに対しても連通が遮断される。その結果、リフトシリンダ１２内の作動油の移動が防止され、フォーク１１が所望の位置に保持される。
【００２０】
フォーク１１の下降時、ボトム室１２ａから排出された作動油はリフト用制御弁１４を介して戻り管路２０に導かれ、油圧モータ２１を回転させる。そして、油圧モータ２１に連結されている発電機２２が駆動されて発電が行われる。即ち、作動油のエネルギーが油圧モータ２１の回転エネルギー（運動エネルギー）に変換され、発電機２２は油圧モータ２１の運動エネルギーを電気エネルギーに変換して発電を行う。
【００２１】
フォーク１１の下降時、ボトム室１２ａが戻り管路２０と連通されている状態では、戻り管路２０を流れる作動油により、油圧モータ２１に内蔵された図示しない回転ギヤ部が回転される。そして、リフト用制御弁１４が操作されてリフト用スプールがｂ位置に配置されると、ボトム室１２ａから戻り管路２０への作動油の流れが遮断されるが、油圧モータ２１は慣性で回転を継続しようとする。その回転方向は戻り管路２０内の作動油を作動油タンク１６へ送り出す方向となる。作動油の粘性は大きく油圧モータ２１の回転を妨げるように作用する。
【００２２】
ボトム室１２ａから戻り管路２０への作動油の流れが遮断された状態で、油圧モータ２１が作動油を作動油タンク１６へ送り出す方向に回転されると、戻り管路２０のリフト用制御弁１４と油圧モータ２１との間が負圧になる。そして、逆止め弁２４が、戻り管路２０内と戻り管路２０外との圧力差により開かれて、逆止め弁２４を介して戻り管路２０外から戻り管路２０内に空気が導入される。その結果、油圧モータ２１より上流の戻り管路２０内の作動油が、戻り管路２０内を油圧モータ２１側へ移動し易くなる。
【００２３】
油圧モータ２１の回転エネルギーの減少は、発電機２２による発電エネルギー及び作動油を攪拌することで損失されるエネルギーが大部分である。その際、従来技術のように作動油を循環させる構成では、油圧モータ２１が攪拌するのが粘性の大きな作動油であるため、エネルギー損失が大きくなる。しかし、作動油を循環させずに逆止め弁２４から空気を導入する構成では、作動油に空気が混合されることで粘性が低下し、油圧モータ２１の回転エネルギー損失が少なくなり、油圧モータ２１が慣性で回転を継続する時間が長くなる。
【００２４】
油圧モータ２１が慣性で回転を継続する時間を、作動油を循環させて行う場合と、空気を導入した場合との比較を、図２に示す試験装置を用いて行った。試験装置は、モータ３１により駆動されるポンプ３２の吸入口に、作動油タンク３３内の作動油を汲み上げる管路３４が連結され、吐出口には汲み上げられた作動油を作動油タンク３３内に戻す管路３５が連結されている。管路３４には逆止め弁３６が設けられている。また、管路３４には
ポンプ３２の吸入口と逆止め弁３６との中間部から分岐管３７が設けられている。分岐管３７には電磁弁３８が設けられ、分岐管３７から空気が導入可能に構成されている。
【００２５】
試験は、電磁弁３８を閉じた状態でモータ３１によりポンプ３２を駆動させて、管路３４から作動油タンク３３内の作動油を汲み上げ、管路３５を介して作動油タンク３３に戻す状態で運転を行い、ポンプ３２の回転数が所定回転数に達した時点でモータ３１の運転を停止し、ポンプ３２の回転が停止するまでの時間を測定した。そして、モータ３１の運転を停止した後、ポンプ３２の回転が停止するまで電磁弁３８を閉じた状態に保持した場合と、モータ３１の運転を停止した時点で電磁弁３８を開状態に切り換えて、分岐管３７から空気が３４内に導入される状態にした場合とを比較した。
【００２６】
図３（ａ）に所定回転数を３０００ｒｐｍで行った場合の結果を示す。図３（ａ）に示すように、作動油を循環させた場合（実線）は、空気を導入した場合（点線）に比較して、初期の状態における回転数の低下割合が大きく、また、回転継続時間も短くなった。空気を導入した場合、回転継続時間は、導入を行わない場合に比較して３割程度長くなった。また、ポンプ３２の立ち下がり損失と回転数との関係を計算した結果を図３（ｂ）に示す。図３（ｂ）から、空気を導入した場合は、空気を導入しない場合に比較して、損失が最大３割程度減少した。
【００２７】
この実施形態によれば、以下に示す効果を得ることができる。
（１）油圧回路は、モータ１８により駆動され、作動油タンク１６の作動油を加圧してリフトシリンダ１２のボトム室１２ａに供給する油圧ポンプ１７と、ボトム室１２ａに供給された作動油を作動油タンク１６に戻すための戻り管路２０と、戻り管路２０の途中に設けられた油圧モータ２１と、油圧モータ２１により回転される発電機２２とを備えている。また、ボトム室１２ａと油圧ポンプ１７との間に介装され、油圧ポンプ１７とボトム室１２ａとを連通させる状態と、ボトム室１２ａと戻り管路２０とを連通させる状態とに切り換え可能な切り換え弁（リフト用制御弁１４）と、戻り管路２０の油圧ポンプ１７より上流側に設けられた気体取り入れ手段（逆止め弁２４）とを備えている。したがって、フォーク１１の下降移動時に切り換え弁が操作されてボトム室１２ａから戻り管路２０へ加圧された作動油が供給されなくなっても、気体取り入れ手段から気体が戻り管路２０に供給される状態、即ち油圧モータ２１の回転を抑制するように作用する流体の粘性が小さな状態で油圧モータ２１が慣性で回転を継続する。その結果、油圧モータ２１が慣性で回転を継続する時間を従来技術に比べて延長でき、発電機２２の小型化を図ることができる。発電機２２を小型化できれば、油圧モータ２１の回転エネルギーが小さくなった場合に、大型の発電機に比較して発電機２２で有効な発電を長時間行うことができる。また、発電機２２を小型化できれば、フォークリフトに搭載し易くなる。
【００２８】
（２）気体取り入れ手段として、戻り管路２０のリフト用制御弁１４と油圧モータ２１との間が負圧になったときに戻り管路２０内と戻り管路２０外との圧力差により開かれて戻り管路２０外から戻り管路２０内に気体を導入する弁が使用されている。したがって、リフト用制御弁１４が操作されて、ボトム室１２ａが戻り管路２０と非連通の状態になり、その状態で油圧モータ２１が慣性により回転を継続して、戻り管路２０内が負圧になると、自動的に気体取り入れ手段から気体が戻り管路２０に供給される状態になる。そのため、例えば、電磁弁を設けて戻り管路２０に気体を取り入れる構成とするのに比較して、構成が簡単になる。
【００２９】
（３）気体取り入れ手段として逆止め弁２４が使用されているため、リリーフ弁に比較して構成が簡単になる。逆止め弁２４のクラッキング圧力を調整することにより、逆止め弁２４が開放される時期を適切な時期に設定することが可能になる。
【００３０】
（４）油圧回路はフォークリフトの荷役用の油圧回路に適用されている。フォークリフトにおいては、荷物の上昇及び下降をリフトシリンダ１２で行い、荷物の無い状態においてもフォーク１１が下降する際に、位置エネルギーが作動油の運動エネルギーに変換されてそのエネルギーを利用して発電を行う。そのため、油圧回路が前記構成を備えることにより、位置エネルギーを有効に利用することができる。
【００３１】
（第２の実施形態）
次に第２の実施形態を図４を参照しながら説明する。この実施形態はポンプモータの構成、具体的にはポンプモータがフライホイールを備えている点が第１の実施形態と異なっている。その他の構成は第１の実施形態と同じであるため異なる部分について説明する。なお、第１の実施形態と同様の部分については同じ符号を付して詳しい説明を省略する。
【００３２】
図４に示すように、油圧モータ２１の回転軸２１ａにはフライホイール２５が一体回転可能に設けられている。フライホイール２５の大きさや重量は、リフトシリンダ１２のボトム室１２ａから戻り管路２０を経て作動油タンク１６に戻される作動油の持つエネルギーとの関係で、適宜設定される。
【００３３】
この実施形態の構成では、フォーク１１を下降させるため、作業者によってリフト用制御弁１４が、ボトム室１２ａが戻り管路２０と連通される状態に切り換えられると、戻り管路２０を流れる作動油により、油圧モータ２１に内蔵された図示しない回転ギヤ部が回転され、フライホイール２５も回転軸２１ａと一体に回転される。そして、リフト用制御弁１４が操作されてリフト用スプールがｂ位置に配置されて、ボトム室１２ａから戻り管路２０への作動油の流れが遮断されると、油圧モータ２１は慣性で回転を継続しようとする。この実施形態では回転軸２１ａにフライホイール２５が設けられているため、油圧モータ２１は、自身の慣性だけでなくフライホイール２５の慣性によっても、回転を継続する。フライホイール２５の重量や径を選定することにより、ボトム室１２ａから戻り管路２０への作動油の流れが遮断された後の発電継続時間を調整することが容易になる。
【００３４】
したがって、この実施形態においては、第１の実施形態における効果（１）〜（４）と同様な効果を有する他に次の効果を有する。
（５）油圧モータ２１はフライホイール２５を備えている。したがって、ボトム室１２ａから戻り管路２０へ加圧された作動油が供給されなくなった状態で、油圧モータ２１が慣性により回転を継続する際にフライホイール２５の慣性も加わり、フライホイール２５を備えていない構成に比較して、油圧モータ２１が慣性で回転を継続する時間を長くすることができる。その結果、発電時間を長くすることができる。また、フライホイールを設けた場合、ボトム室１２ａから戻り管路２０へ加圧された作動油が供給されなくなった時点において油圧モータ２１及び発電機２２の駆動系が持つエネルギーの状態が同じ場合、フライホイールが存在する系の方が発電量の変動が小さな状態で発電時間を長くすることができる。
【００３５】
（６）荷が重い状態でフォーク１１を急に下降させた場合、フォーク１１の下降時間のみで戻り管路２０を流れる作動油によって発電機で発電された電力は電流が大きくなりすぎて、バッテリＥを充電する際にバッテリに悪影響を与える場合がある。しかし、回転系にフライホイール２５を設けることにより、慣性が大きくなるため、発電時間を延ばして発電電流を平準化でき、大電流でバッテリＥが充電されるのを抑制することができる。
【００３６】
実施形態は前記に限定されるものではなく、例えば、次のように具体化してもよい。
○  ボトム室１２ａから戻り管路２０へ加圧された作動油が供給されなくなった状態において、油圧モータ２１が回転を継続する時間を長くする方法として、図５に示すように、戻り管路２０のリフト用制御弁１４と油圧モータ２１との間にアキュムレータ２６を設けてもよい。この構成では、戻り管路２０にボトム室１２ａから供給される加圧された作動油が流れている間に、作動油の一部がフライホイール２５に貯蔵される。そして、リフト用制御弁１４が切り換えられて、ボトム室１２ａから戻り管路２０へ加圧された作動油が供給されなくなると、先ずアキュムレータ２６に貯蔵されていた加圧された作動油が戻り管路２０へ送り出される。そして、その作動油が油圧モータ２１を回転させるのに寄与する。次に、戻り管路２０のリフト用制御弁１４と油圧モータ２１との間の圧力が負圧になった時点で逆止め弁２４が開放されて、空気が戻り管路２０内に導入される。したがって、第１の実施形態の構成に比較して、ボトム室１２ａから戻り管路２０へ加圧された作動油が供給されなくなった状態において、油圧モータ２１が回転を継続する時間が長くなる。
【００３７】
○  フライホイール２５は油圧モータ２１及び発電機２２の回転系に設けられていればよく、油圧モータ２１と発電機２２を連結する回転軸２１ａに設ける構成に代えて、発電機２２のロータに一体回転可能に設けてもよい。
【００３８】
○  フライホイール２５を発電機２２側に設けるとともに、油圧モータ２１と発電機２２とを電磁クラッチを介して切り離し可能に構成し、電磁クラッチを切り離した状態においては、油圧モータ２１が発電機２２及びフライホイールの回転系と切り離された状態となるように構成してもよい。この場合、ボトム室１２ａと戻り管路２０との連通が遮断された状態において、大きな衝撃が油圧モータ２１に加わるのを抑制した後、電磁クラッチを非連結状態にして、その後は、油圧モータ２１が切り離された状態において発電機２２がフライホイール２５と一体に回転を継続するようにしてもよい。油圧モータ２１の回転部（ギヤ部）に作動油が存在する状態では作動油の粘性抵抗によって回転が抑制されるため、油圧モータ２１を発電機２２の回転系から切り離した方が、発電機２２が長時間発電を継続可能になる。しかし、油圧モータ２１の慣性が大きい場合は、油圧モータ２１を連結したままの方が、発電時間が長くなる場合もあるため、油圧モータ２１の慣性力を考慮していずれかが選択される。
【００３９】
○  フライホイール２５が電磁クラッチを介して回転系と回転可能に構成された場合、フォーク１１の下降状態によって電磁クラッチの接続、切り離しを制御してもよい。例えば、荷の無い状態や荷が軽い状態で低い揚高位置から下降動作を行う場合のように、作動油に加わるエネルギーが小さい場合は電磁クラッチを接続せずに発電を行うようにしてもよい。
【００４０】
○  フライホイール２５を備えた構成において、アキュムレータ２６を設けてもよい。
○  戻り管路２０のリフト用制御弁１４と油圧モータ２１との間が負圧になったときに戻り管路２０内と戻り管路２０外との圧力差により開かれて戻り管路２０外から戻り管路２０内に気体を導入する弁は逆止め弁２４に限らない。例えば、リリーフ弁を設けてもよい。
【００４１】
○  気体導入手段は、戻り管路２０のリフト用制御弁１４と油圧モータ２１との間が負圧になったときに自動的に開く構成の弁に限らない。例えば、電磁弁を設けてもよい。電磁弁を設けた場合は、電磁弁が外部の気体を戻り管路２０に導入可能な状態（開放状態）に切り換える時期は、例えば、リフトレバー１５の位置を検知する位置センサの検出信号に基づいて行う。具体的には、制御装置が位置センサの検出信号を入力して、リフトレバー１５が下降位置から中立位置に操作された時に電磁弁を開放状態に切り換えるように制御する。電磁弁は必ずしも戻り管路２０のリフト用制御弁１４と油圧モータ２１との間が負圧になったときに開放状態に切り換えるのではなく、負圧になる前に開放状態にしてもよい。電磁弁の場合、その開閉時期は基本的には電磁弁を制御する制御装置により決められるため、逆止め弁やリリーフ弁に比較して開閉時期の自由度が高くなる。
【００４２】
○  リフトシリンダ１２を作動油ではなく他の液体、例えば、水あるいは水を主体とした液体で作動する構成としてもよい。
○  バッテリＥは、鉛蓄電池に限らず、例えば、ニッケル水素蓄電池やリチウムイオン電池等他の二次電池であってもよい。
【００４３】
○  発電機２２で発電された電力を蓄える蓄電手段は、バッテリ（二次電池）に限らず、例えば、キャパシタを使用してもよい。また、キャパシタに充電した後、バッテリＥに再充電するようにしてもよい。キャパシタに充電する場合は、キャパシタの容量を超えない範囲では、大きな電流値で充電しても差し支えないため、発電機２２で発電された電力を直接バッテリＥに充電する場合に比較して、発電条件の自由度が増す。
【００４４】
○  バッテリ式フォークリフト（バッテリ車）に限らず、エンジン式フォークリフト（エンジン車）に適用して、油圧ポンプ１７をエンジンで回転する構成としてもよい。
○  フォークリフトには、カウンタバランス式とリーチ式とがあるが、リーチ式フォークリフトのように、倉庫内等の狭い範囲で移動して荷の昇降を頻繁に行うフォークリフトに適用した方が、エネルギーの回収の機会が多いため好ましい。
【００４５】
○  リフトシリンダは、フォークリフトに装備された荷役装置のように上下方向に延びる状態で使用されるものに限らず、斜めに配置された状態で使用されるものであってもよい。例えば、高所作業車のプラットホームを昇降させる装置やショベルローダのショベルを昇降させる装置のように、荷（作業者を含む）を積んだ状態の荷役部材をリフトシリンダにより低位置と高位置とに移動させるものを含む。
【００４６】
○  導入する気体は空気に限らず、他の気体でもよい。例えば、窒素雰囲気の状態で、無人フォークリフトが運転される場合、導入される気体は空気では無く窒素ガスになる。
○  油圧回路を開放系ではなく、密閉系としてもよい。その場合、戻り管路２０に導入された気体が油圧ポンプ１７に吸い込まれないように、気液分離器で気体と液体とを分離した後、液体のみを作動油タンク１６に戻す構成とする。
【００４７】
○  制御装置２３は、発電機２２で発電された交流を直流に変換するとともに、電圧センサにより発電機２２の起電力を検出し、起電力がバッテリＥの電圧より大きいときに、発電機２２の端子をバッテリＥに電気的に接続した状態に切り換えるように構成してもよい。
【００４８】
以下の技術的思想（発明）は前記実施形態から把握できる。
（１）請求項１〜請求項５のいずれか一項に記載の発明の液圧回路は、前記発電機で発電された電力を蓄える蓄電手段を備えている。
【００４９】
（２）前記技術的思想（１）に記載の発明において、前記蓄電手段はバッテリである。
【図面の簡単な説明】
【００５０】
【図１】第１の実施形態の構成図。
【図２】試験装置の模式図。
【図３】（ａ）は経過時間と回転数の関係を示すグラフ、（ｂ）はポンプ立ち下がりの損失特性を示すグラフ。
【図４】第２の実施形態の構成図。
【図５】別の実施形態の構成図。
【図６】従来技術の構成図。
【符号の説明】
【００５１】
１１…負荷としてのフォーク、１２…リフトシリンダ、１２ａ…ボトム室、１４…切り換え弁としてのリフト用制御弁、１６…液体タンクとしての作動油タンク、１７…液圧ポンプとしての油圧ポンプ、１８…駆動手段としてのモータ、２０…戻り管路、２１…ポンプモータとしての油圧モータ、２２…発電機、２４…気体取り入れ手段としての逆止め弁、２５…フライホイール。
【図１】
0004882986.tif 000002
【図２】
0004882986.tif 000003
【図３】
0004882986.tif 000004
【図４】
0004882986.tif 000005
【図５】
0004882986.tif 000006
【図６】
0004882986.tif 000007